(57)【特許請求の範囲】
【請求項１】
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットを再生する再生装置において、
光ディスクを検索してデータユニットを転送する検索手段と、
転送されたデータユニット中のオーディオデータをデコードして出力するオ−ディオデコーダ部と、
早送り又は早戻しの特殊再生処理を指示する入力手段と、
前記特殊再生処理時に、前記転送されたデータユニット中のナビゲーションパックから検索情報を取り出し、この検索情報に基づいて、新たに検索すべきジャンプアドレスを決定する検索アドレス決定部と、及び
このジャンプアドレスに従ってデータユニットを検索する間、既に転送されたデータユニット中のオーディオデータで音声の出力を継続させる継続手段と、
から構成されることを特徴とする光ディスク再生装置。
【請求項２】
前記継続手段は、前記データユニットの検索の間、検索前に転送されたデータユニット中のデコードされたオーディオデータの一部を保持し、このオーディオデータの一部を出力し続ける出力保持手段を含むことを特徴とする請求項１の光ディスク再生装置。
【請求項３】
前記継続手段は、前記オーディオデコーダ部から出力されるオーディオデータを保持し、オーディオデコーダから無出力の際にその保持したオーディオデータを出力する保持手段を含むことを特徴とする請求項１の光ディスク再生装置。
【請求項４】
前記出力保持手段は、デコード部の出力と前記保持部の出力を切り替えるためのセレクタ部と、前記検索の間、前記デコード部へデータが無転送の場合に前記セレクタ部を切り替えて前記保持部に保持されたオーディオデータを出力させる制御手段を含むことを特徴とする請求項１の光ディスク再生装置。
【請求項５】
通常再生モード及び早戻し又は早送りの特殊再生モードを選択的に指定できる指定手段と、
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットをピックアップするピックアップ手段と、
前記特殊再生モード時にデータユニット中のナビゲーションパックから前記検索情報を取り出し、この検索情報に基づいて、新たに検索すべきジャンプアドレスを決定する検索アドレス決定部と、
前記ピックアップを駆動する駆動手段であって、前記通常再生モード時に前記ピックアップ手段を駆動してほぼ連続して前記データユニットを検索して転送させ、前記特殊再生時に前記ジャンプアドレスに従って前記ピックアップ手段をジャンプさせて前記データユニットを検索して転送させる駆動手段と、
転送された前記データユニット中のオーディオパケットデータをデコードして出力するオーディオデコーダと、
このオーディオデコーダから出力されたオーディオデータの少なくとも一部を保持し、前記特殊再生モード時における検索動作の間にその保持されたオーディオデータの一部を出力するするデータ保持部と、
前記デコーダ部から出力されるオーディオデータ及び前記保持部から出力されるオーディオデータの一方に出力を切り替え可能なセレクタ部と、
前記通常再生モード時に前記オーディオデコーダからのオーディオデータをセレクタ部を介して出力させ、前記特殊再生時のデータユニットの検索の間に前記オーディオデコーダからオーディオデータが無出力となった際に前記データ保持部からオーディオデータを前記セレクタ部を介して出力させる制御手段と、
から構成されることを特徴とする光ディスク再生装置。
【請求項６】
前記転送されたデータユニット中のオーディオパケットデータを格納するメモリ部と、
を更に具備し、このメモリ部からオーディオパケットデータが前記オーディオデコーダに出力されることを特徴とする請求項５の光ディスク再生装置。
【請求項７】
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットを再生する再生方法において、
光ディスクを検索してデータユニットを転送する検索工程と、
転送されたデータユニット中のオーディオデータをデコードして出力するオ−ディオデコーダ工程と、
早送り又は早戻しの特殊再生処理を指示する入力工程と、
前記特殊再生処理時に、前記転送されたデータユニット中のナビゲーションパックから検索情報を取り出し、この検索情報に基づいて、新たに検索すべきジャンプアドレスを決定する検索アドレス決定工程と、及び
このジャンプアドレスに従ってデータユニットを検索する間、既に転送されたデータユニット中のオーディオデータの少なくとも一部でオーディオの出力を継続させる出力継続工程と、
から構成されることを特徴とする光ディスク再生方法。
【請求項８】
前記出力継続工程は、前記デコーダされたオーディオデータを出力するとともにそのオーディオデータの少なくとも一部を保持し、このオーディオデータが無出力となった際に、その保持したオーディオデータの少なくとも一部を出力し続ける工程を含むことを特徴とする請求項７の光ディスク再生方法。
【請求項９】
前記出力継続工程は、デコードされたオーディオデータの少なくとも一部を保持し、前記デコード工程で出力されるべきデータが無出力の場合に、その保持されたオーディオデータに切り替えて前記検索の間、前記保持されたオーディオデータを出力させることを特徴とする請求項７の光ディスク再生装置。
【請求項１０】
通常再生モード及び早戻し又は早送りの特殊再生モードを選択的に指定できる指定工程と、
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットをピックアップするピックアップ工程と、
前記特殊再生モード時にデータユニット中のナビゲーションパックから前記検索情報を取り出し、この検索情報に基づいて、新たに検索すべきジャンプアドレスを決定する検索アドレス決定工程と、
前記ピックアップを駆動する駆動工程であって、前記通常再生モード時に前記ピックアップ手段を駆動してほぼ連続して前記データユニットを検索して転送させ、前記特殊再生時に前記ジャンプアドレスに従って前記ピックアップ手段をジャンプさせて前記データユニットを検索して転送させる駆動工程と、
転送された前記データユニット中のオーディオパケットデータをデコードして出力するオ−ディオデコード工程と、
このオーディオデコード工程で出力されたオーディオデータの少なくとも一部を保持し、前記特殊再生モード時における検索動作の間にその保持されたオーディオデータの一部を出力するするデータ保持工程と、及び
前記通常再生モード時に転送されデコードされたオーディオデータを出力させ、前記特殊再生時のデータユニットの検索の間に前記オーディオデコード工程においてオーディオデータが無出力となった際に前記データ保持工程において保持されたオーディオデータを出力させる制御工程と、
から構成されることを特徴とする光ディスク再生方法。
【発明の詳細な説明】
【０００１】
【発明の属する技術分野】
本発明は、光ディスクからデータを再生する光ディスク再生方法及びその装置に係り、特に、オーディオデータが格納された光ディスクからＦＦ再生（ファーストフォワード再生）或いはＦＲ再生（ファーストリワード再生）が可能なＤＶＤプレーヤに関する。
【０００２】
【従来の技術】
近年、映像や音声等のデータを記録した記録媒体としての光ディスクからデータを再生する動画対応の光ディスク再生装置が開発されている。その光ディスクには、例えば、ＬＤ及びビデオＣＤ等があり、映画ソフトやカラオケ等が記録された光ディスクが一般に普及されている。
【０００３】
現在、国際規格化したＭＰＥＧ２（Moving Picture Coding Expert Group) の方式が採用され、オーディオデータがＡＣ３オーディオ圧縮方式で圧縮して記録されているＤＶＤ規格（ディジタル・バーサタイル・ディスク）に沿った光ディスクが既に開発され、販売されている。
【０００４】
このＤＶＤ規格では、動画圧縮方式にＭＰＥＧ２が採用され、ＭＰＥＧ２システムレイヤに従ってビデオデータが圧縮されてビデオパックに格納され、ＭＰＥＧオーディオのみならず、ＡＣ３オーディオ並びにＰＣＭオーディオをもサポートされ、オーディオデータがこれらのいずれかの方式に従ってエンコードされてオーディオパックに格納される得ると定められている。また、字幕用としてビットマップデータをランレングス圧縮した副映像データがビデオパック及びオーディオパックとは、独立した副映像パックに格納されている。更に、ＤＶＤ規格では、早送り、巻き戻しなどの特殊再生用コントロールデータ、即ち、ナビゲーションデータが上述したパックとは独立したナビパックに格納され、これら、ビデオパック、オーディオパック、副映像パック及びナビゲーションパックがＤＶＤディスクに記録されている。
【０００５】
更にまた、このＤＶＤの規格では、コンピュータでＤＶＤディスクに格納されたデータを読み出すことができるように、ＩＳＯ９６６０とマイクロＵＤＦをサポートしている。
【０００６】
このような規格に沿ったＤＶＤディスクを再生する現在の光ディスク装置、即ち、ＤＶＤプレーヤでは、早送り再生や巻き戻し再生などの特殊再生時には、オーディオデータを再生しないで音を消した状態で画面のみを飛ばし飛ばし再生することが一般化している。
【０００７】
【発明が解決しようとする課題】
しかしながら、従来のＤＶＤプレーヤにおいては、ビデオディスクフォーマットに則って制作されたビデオデータを含まないオーディオデータのみのＤＶＤディスクにあっては、このような特殊再生時に、音が再生されず、早送り再生中か否かが容易に判明しない問題がある。
【０００８】
従来のＣＤプレーヤでの早送り、巻き戻し再生では、あるオーディオデータ、例えば、第３のオーディオデータをサーチする際には、第１及び第２のオーディオデータと飛び飛びにサーチし、サーチ中は、音が再生されず、飛ばした先のデータ、例えば、第２のオーディオデータを再生して、再び、次のオーディオデータ、即ち、第３のオーディオデータをサーチして当該オーディオデータで通常再生するようにしている。
【０００９】
しかしながら、このような方式では、目的とするオーディオデータをサーチするまでの時間が掛かるととともに音がとぎれとぎれに再生されることとなり、聞きづらい問題がある。
【００１０】
この発明は、上述した事情に鑑みなされたものであって、その目的は、オーディオデータのみが連続するデータ領域を有するＤＶＤディスクからの早送り再生或いは巻き戻し再生などの特殊再生時に、音声を再生して、特殊再生時の利便性を向上することができる光ディスク装置を提供するにある。
【００１１】
また、この発明の目的は、オーディオデータのみが連続するデータ領域を有するＤＶＤディスクからの早送り再生或いは巻き戻し再生などの特殊再生時に、音声を再生して、特殊再生時の利便性を向上することができる光ディスク方法を提供するにある。
【００１２】
【課題を解決するための手段】
上記目的を達成するために、この発明によれば、
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットを再生する再生装置において、
光ディスクを検索してデータユニットを転送する検索手段と、
転送されたデータユニット中のオーディオデータをデコードして出力するオ−ディオデコーダ部と、
早送り又は早戻しの特殊再生処理を指示する入力手段と、
前記特殊再生処理時に、前記転送されたデータユニット中のナビゲーションパックから検索情報を取り出し、この検索情報に基づいて、新たに検索すべきジャンプアドレスを決定する検索アドレス決定部と、及び
このジャンプアドレスに従ってデータユニットを検索する間、既に転送されたデータユニット中のオーディオデータでオーディオの出力を継続させる継続手段と、
から構成されることを特徴とする光ディスク再生装置が提供される。
【００１３】
また、この発明によれば、
通常再生モード及び早戻し又は早送りの特殊再生モードを選択的に指定できる指定手段と、
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットをピックアップするピックアップ手段と、
前記特殊再生モード時にデータユニット中のナビゲーションパックから前記検索情報を取り出し、この検索情報に基づいて、新たに検索すべきジャンプアドレスを決定する検索アドレス決定部と、
前記ピックアップを駆動する駆動手段であって、前記通常再生モード時に前記ピックアップ手段を駆動してほぼ連続して前記データユニットを検索して転送させ、前記特殊再生時に前記ジャンプアドレスに従って前記ピックアップ手段をジャンプさせて前記データユニットを検索して転送させる駆動手段と、
転送された前記データユニット中のオーディオパケットデータをデコードして出力するオ−ディオデコーダと、
このオーディオデコーダから出力されたオーディオデータの少なくとも一部を保持し、前記特殊再生モード時における検索動作の間にその保持されたオーディオデータの一部を出力するするデータ保持部と、
前記デコーダ部から出力されるオーディオデータ及び前記保持部から出力されるオーディオデータの一方に出力を切り替え可能なセレクタ部と、
前記通常再生モード時に前記オーディオデコーダからのオーディオデータをセレクタ部を介して出力させ、前記特殊再生時のデータユニットの検索の間に前記オーディオデコーダからオーディオデータが無出力となった際に前記データ保持部からオーディオデータを前記セレクタ部を介して出力させる制御手段と、
から構成されることを特徴とする光ディスク再生装置が提供される。
【００１４】
更に、この発明によれば、
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットを再生する再生方法において、
光ディスクを検索してデータユニットを転送する検索工程と、
転送されたデータユニット中のオーディオデータをデコードして出力するオ−ディオデコーダ工程と、
早送り又は早戻しの特殊再生処理を指示する入力工程と、
前記特殊再生処理時に、前記転送されたデータユニット中のナビゲーションパックから検索情報を取り出し、この検索情報に基づいて、新たに検索すべきジャンプアドレスを決定する検索アドレス決定工程と、及び
このジャンプアドレスに従ってデータユニットを検索する間、既に転送されたデータユニット中のオーディオデータの少なくとも一部でオーディオ出力を継続させる出力継続工程と、
から構成されることを特徴とする光ディスク再生方法が提供される。
【００１５】
また、更にこの発明によれば、
通常再生モード及び早戻し又は早送りの特殊再生モードを選択的に指定できる指定工程と、
時系列的に再生対象とされ、そのそれぞれが一定時間範囲以内で再生されるべきデータユニットであって、そのデータユニットが少なくともオーディオデータを含む再生データをパケット化した複数のデータパック及びそのデータパック列の先頭に配置され、他のデータユニットのアドレスを記述した検索情報を含むナビゲーション情報をパック化したナビゲーションパックを含む複数のデータユニットが記録された光ディスクからデータユニットをピックアップするピックアップ工程と、
前記特殊再生モード時にデータユニット中のナビゲーションパックから前記検索情報を取り出し、この検索情報に基づいて、新たに検索すべきジャンプアドレスを決定する検索アドレス決定工程と、
前記ピックアップを駆動する駆動工程であって、前記通常再生モード時に前記ピックアップ手段を駆動してほぼ連続して前記データユニットを検索して転送させ、前記特殊再生時に前記ジャンプアドレスに従って前記ピックアップ手段をジャンプさせて前記データユニットを検索して転送させる駆動工程と、
転送された前記データユニット中のオーディオパケットデータをデコードして出力するオ−ディオデコード工程と、
このオーディオデコード工程で出力されたオーディオデータの少なくとも一部を保持し、前記特殊再生モード時における検索動作の間にその保持されたオーディオデータの一部を出力するするデータ保持工程と、及び
前記通常再生モード時に転送されデコードされたオーディオデータを出力させ、前記特殊再生時のデータユニットの検索の間に前記オーディオデコード工程においてオーディオデータが無出力となった際に前記データ保持工程において保持されたオーディオデータを出力させる制御工程と、
から構成されることを特徴とする光ディスク再生方法が提供される。
【００１６】
この発明によれば、検索中に再生さるオーディオデータが次々に更新され、保持され、また、保持されたオーディオがデコード出力がない際に出力されることから、特殊再生時に無音の状態が生じることがなく、特殊再生時にあってもオーディデータが再生される。
【００１７】
【発明の実施の形態】
以下、図面を参照してこの発明の実施例に係る光ディスク再生方法及びその装置を説明する。
【００１８】
図１は、この発明の一実施例に係る光ディスクからデータを再生する光ディス装置のブロックを示し、図２は、図１に示される光ディスクの論理フォーマットを示している。
【００１９】
図１に示すように光ディスク再生装置は、キー操作／表示部４、モニター部（ＴＶモニター）６及びスピーカー部８を具備している。ここで、ユーザがキー操作／表示部４を操作することによって光ディスク１０、例えば、ＤＶＤディスクから記録データが再生される。記録データは、ビデオデータ、副映像データ及び音声データを含み、これらは、ビデオ信号及びオーディオ信号に変換される。モニター部６は、ビデオ信号によって映像を表示し、スピーカー部８は、オーディオ信号によって音声を再生している。
【００２０】
図１に示されるＤＶＤディスク１０は、情報を記録することができる情報領域２５を有し、情報領域２５は、そのディスクの外周領域が通常は情報が記録されないリードアウト領域２６に、また、クランピング領域に接するその内周領域が同様に、通常は情報が記録されないリードイン領域２７に定められ、更に、このリードアウト領域２６とリードイン領域２７との間がデータ記録領域に定められている。
【００２１】
情報領域２５には、通常、データが記録される領域としてトラックがスパイラル状に連続して形成され、その連続するトラックは、複数の物理的なセクタに分割され、そのセクタには、連続番号が付され、このセクタを基準にデータが記録されている。情報領域２５のデータ記録領域は、実際のデータ記録領域であって、再生情報、ビデオデータ、副映像データ及びオーディオデータが同様にピット（即ち、物理的状態の変化）として記録されている。
【００２２】
光ディスク装置１２は、図１に示されるように更にディスクドライブ部３０、システムＭＰＵ部５０、システムＲＯＭ／ＲＡＭ部５２、システムプロッセッサ部５４、データＲＡＭ部５６、ビデオデコータ部としてのＭＰＥＧデコータ部５８、オーディオデコーダ部６０、副映像デコーダ部、即ち、ＳＰデコーダ部６２、Ｄ／Ａ変換部６３及びビデオプロセッサ部６４から構成されている。
【００２３】
ディスクドライブ部３０によって光ディスク１０の記録層に形成された所定のセクタがアクセスされる。再生データ、即ち、後に説明するパックデータは、次々にその所定のセクタからピックアップされてディスクドライブ部３０から出力される。出力された再生データは、システム用ＲＯＭ及びＲＡＭ部５２に記録されたプログラムで制御されるシステムＭＰＵ部５０の管理下でシステムプロセッサ部５４によってデータＲＡＭ部５６に格納される。即ち、ＭＰＵ部５０が光ディスクドライブ部３０に目的のアドレスとリード命令を送り、光ディスクドライブ部３０は送られた命令に従って、ＤＶＤディスクより論理セクタデータを読み出し、システムプロセッサ部５４のデータ入力部を介してデータＲＡＭ部５６に一時的に格納される。この格納されたパックデータは、システムプロセッサ部５４内のデータ切り分け部５７に送ら、このデータ切り分け部５７によって読み出したパックデータは、そのデータの目的に応じて各部に分配される。即ち、ビデオパケットデータは、ビデオデコーダ部５８へ転送され、オーディオパケットデータは、オーディオデコーダ部６０へ転送され、副映像パケットデータは、ＳＰデコーダ部６２へ転送される。また、ＮＶパック、その他のパックは、ＭＰＵ部が処理するためにデータメモリ部５６に保存される。
【００２４】
ビデオパケットデータ、オーディオパケットデータ及び副映像パケットデータは、夫々ビデオデコーダ部５８、オーディオデコーダ部６０及び副映像デコーダ部６２に出力されてデコードされる。デコードされたビデオデータ及び副映像データは、パケットデータ内のＰＴＳ(Presentation Time Stamp) の値に同期してビデオプロセッサ部６４でアナログ信号としてのビデオ信号に変換され、また、オーディオデータは、Ｄ／Ａ変換部６３でオーディオ信号に変換され、ビデオ信号がモニタ６に、また、オーディオ信号がスピーカ部８に夫々供給される。その結果、モニタ部６に副映像が主映像に重ね合わされて表示されるとともにオーディオ信号によってスピーカ部８から音声が再現される。
【００２５】
図１に示す光ディスクは、図２に示すような論理フォーマットの構造を有している。即ち、ＤＶＤディスク１０のリードインエリア２７からリードアウトエリア２６までのデータ記録領域２８は、図２に示されるようなボリューム及びファイル構造を有している。この構造は、論理フォーマットとして特定の規格、例えば、マイクロＵＤＦ（micro UDF ）及びＩＳＯ９６６０に準拠されて定められている。データ記録領域２８は、既に説明したように物理的に複数のセクタに分割され、その物理的セクタには、連続番号が付されている。下記の説明で論理アドレスは、マイクロＵＤＦ（micro UDF ）及びＩＳＯ９６６０で定められるように論理セクタ番号（ＬＳＮ）を意味し、論理セクタは、物理セクタと同一であり、論理セクタの番号（ＬＳＮ）は、物理セクタ番号の昇順とともに連続番号が付加されている。
【００２６】
図２に示されるようにこのボリューム及びファイル構造は、階層構造を有し、ボリューム及びファイル構造領域１７０、ビデオマネージャー（ＶＭＧ）１７１、少なくとも１以上のビデオタイトルセット（ＶＴＳ）１７２及び他の記録領域１７３を有している。これら領域は、論理セクタの境界上で区分されている。ここで、従来のＣＤと同様に１論理セクタは、２０４８バイトと定義されている。同様に、１論理ブロックも２０４８バイトと定義され、従って、１論理セクタは、１論理ブロックと定義される。また、２０４８バイトのサイズを有する１パックが１セクタに定められている。
【００２７】
ファイル構造領域１７０は、マイクロＵＤＦ及びＩＳＯ９６６０に定められる管理領域に相当し、この領域の記述を介してビデオマネージャー１７１がシステムＲＯＭ／ＲＡＭ部５２に格納される。ビデオマネージャー（ＶＭＧ）１７１には、図３を参照して説明するようにビデオタイトルセットを管理する情報が記述され、ファイル＃０から始まる複数のファイル１７４から構成されている。また、各ビデオタイトルセット（ＶＴＳ）１７２には、後に説明するように圧縮されたビデオデータ、オーディオデータ及び副映像データ及びこれらの再生情報が格納され、同様に複数のファイル１７４から構成されている。ここで、１タイトルは、たとえば、映画の一本分に相当し、一枚のディスクに、このタイトルが複数個格納することができる。このタイトルが集まったものをタイトルセットと称し、このタイトルセットは、複数のファイルで構成されている。ＤＶＤの規格では、複数のビデオタイトルセット１７２は、最大９９個に制限され、また、各ビデオタイトルセット１７２を構成するファイル１７４（File #j からFile #j+１２）の数は、最大１２個に定められている。これらファイルも同様に論理セクタの境界で区分されている。
【００２８】
他の記録領域１７３には、上述したビデオタイトルセット１７２を利用可能な情報が記録されている。この他の記録領域１７３は、必ずしも設けられなくとも良い。
【００２９】
図３に示すようにビデオマネージャー（ＶＭＧ）１７１は、夫々が各ファイル１７４に相当する３つの項目を含んでいる。即ち、ビデオマネージャー１７１は、ビデオマネージャー情報（ＶＭＧＩ）１７５、ビデオマネージャーメニューの為のビデオオブジェクトセット（ＶＭＧＭ＿ＶＯＢＳ）１７６及びビデオマネージャー情報のバックアップ（ＶＭＧＩ＿ＢＵＰ）１７７から構成されている。ここで、ビデオマネージャー情報（ＶＭＧＩ）１７５及びビデオマネージャー情報のバックアップ（ＶＭＧＩ＿ＢＵＰ）１７７は、必須の項目とされ、ビデオマネージャーメニューの為のビデオオブジェクトセット（ＶＭＧＭ＿ＶＯＢＳ）１７６は、オプションとされている。このＶＭＧＭ用のビデオオブジェクトセット（ＶＭＧＭ＿ＶＯＢＳ）１７６には、ビデオマネージャー（ＶＭＧ）１７１が管理する当該光ディスク中のボリュームに関するメニューのビデオデータ、オーディオデータ及び副映像データが格納されている。
【００３０】
このＶＭＧＭ用のビデオオブジェクトセット（ＶＭＧＭ＿ＶＯＢＳ）１７６によってビデオの再生と同様に当該光ディスクのボリューム名、ボリューム名表示に伴う音声及び副映像の説明が表示されるとともに選択可能な項目が副映像で表示される。
【００３１】
ここで、図４を参照してビデオオブジェクトセット（ＶＯＢＳ）１８２の構造について説明する。図４は、ビデオオブジェクトセット（ＶＯＢＳ）１８２の一例を示している。このビデオオブジェクトセット（ＶＯＢＳ）１８２には、２つのメニュー用及びタイトル用として３つのタイプのビデオオブジェクトセット（ＶＯＢＳ）１７６、１９５、１９６がある。即ち、ビデオオブジェクトセット（ＶＯＢＳ）１８２は、後に説明するようにビデオタイトルセット（ＶＴＳ）２７２中にビデオタイトルセットのメニュー用ビデオオブジェクトセット（ＶＴＳＭ＿ＶＯＢＳ）１９５及び少なくとも１つ以上のビデオタイトルセットのタイトルの為のビデオオブジェクトセット（ＶＴＳＴＴ＿ＶＯＢＳ）１９６があり、いずれのビデオオブジェクトセット１８２もその用途が異なるのみで同様の構造を有している。
【００３２】
図４に示すようにビデオオブジェクトセット（ＶＯＢＳ）１８２は、１個以上のビデオオブジェクト（ＶＯＢ）１８３の集合として定義され、ビデオオブジェクトセット（ＶＯＢＳ）１８２中のビデオオブジェクト１８３は、同一の用途の供される。通常、メニュー用のビデオオブジェクトセット（ＶＯＢＳ）１８２は、１つのビデオオブジェクト（ＶＯＢ）１８３で構成され、複数のメニュー用の画面を表示するデータが格納される。これに対してタイトルセット用のビデオオブジェクトセット（ＶＴＳＴＴ＿ＶＯＢＳ）１８２は、通常、複数のビデオオブジェクト（ＶＯＢ）１８３で構成される。また、オーディオ専用のビデオタイトルセットにあっては、複数のビデオオブジェクト（ＶＯＢ）１８３で構成されるが、そのビデオオブジェクトは、後に説明する多数のオーディオパックのみで、または、多数のオーディオパックと多数の副映像パックで構成される。
【００３３】
ビデオオブジェクト（ＶＯＢ）１８３には、識別番号（ＩＤＮ#j）が付され、この識別番号によってそのビデオオブジェクト（ＶＯＢ）１８３を特定することができる。ビデオオブジェクト（ＶＯＢ）１８３は、１又は複数のセル１８４から構成される。通常のビデオストリームは、複数のセルから構成されることとなるが、メニュー用のビデオストリーム、即ち、ビデオオブジェクト（ＶＯＢ）１８３は、１つのセル１８４から構成される場合もある。同様にセルには、識別番号（Ｃ＿ＩＤＮ#j）が付され、このセル識別番号（Ｃ＿ＩＤＮ#j）によってセル１８４が特定される。
【００３４】
図４に示すように各セル１８４は、１又は複数のビデオオブジェクトユニット（ＶＯＢＵ）１８５、通常は、複数のビデオオブジェクトユニット（ＶＯＢＵ）１８５から構成される。ここで、ビデオオブジェクトユニット（ＶＯＢＵ）１８５は、１つのナビゲーションパック（ＮＶパック）１８６を先頭に有するパック列として定義される。即ち、ビデオオブジェクトユニット（ＶＯＢＵ）１８５は、あるナビゲーションパック１８６から次のナビゲーションパックの直前まで記録される全パックの集まりとして定義される。このビデオオブジェクトユニット（ＶＯＢＵ）の再生時間は、ビデオオブジェクトユニット（ＶＯＢＵ）中に含まれる単数又は複数個のＧＯＰから構成されるビデオデータの再生時間に相当している。ＭＰＥＧでは、１ＧＯＰは、再生時間が０．５秒であってその間に１５枚程度の画像が再生する為の圧縮された画面データであると定められている。ここで、パックは、データを転送して処理する最小単位であり、また、論理上の処理を実行する際の最小単位はセルであり、論理上の処理はこのセル単位で実行される。従って、セルを単位として再生順番が変更され、また、セルを単位として分岐等が実行される。
【００３５】
図４に示すようにビデオオブジェクトユニットがビデオデータを含む場合には、ＭＰＥＧ規格に定められたビデオパック（Ｖパック）１８８、副映像パック（ＳＰパック）１９０及びオーディオパック（Ａパック）１９１から構成されるＧＯＰが配列されてビデオデータストリームが構成されるが、このＧＯＰの数とは、無関係にＧＯＰの再生時間を基準にしてビデオオブジェクトユニット（ＶＯＢＵ）１８５が定められ、その先頭には、常にナビゲーションパック（ＮＶパック）１８６が配列される。また、オーディオ及び／又は副映像データのみの再生データにあってもこのビデオオブジェクトユニットを１単位として再生データが構成される。即ち、このビデオオブジェクトユニットは、その先頭には、常にナビゲーションパック（ＮＶパック）１８６が配列され、それに続いて多数のオーディオパックのみ、又は、多数のオーディオパック及び多数の副映像パックが配列されても良い。このようにオーディオ用のビデオオブジェクトユニットが構成されても、ビデオパックが設けられる場合と同様に、ビデオ（ダミーとしてのビデオパック）を基準にしてそのオーディオデータが属するビデオオブジェクトユニットの再生時間内に再生されるべきオーディオパックがそのビデオオブジェクトユニットに格納されている。
【００３６】
再び図３を参照してビデオマネージャー１７１について説明する。ビデオマネージャー１７１の先頭に配置されるビデオ管理情報１７５は、そのビデオマネージャー自体の情報、タイトルをサーチする為の情報、ビデオマネージャーメニューの再生の為の情報、及びビデオタイトルの属性情報の等のビデオタイトルセット（ＶＴＳ）１７２を管理する情報が記述され、図３に示す順序で４つのテーブル１７８、１７９、１８０、１８１が記録されている。この各テーブル１７８、１７９、１８０、１８１は、論理セクタの境界に一致されている。第１のテーブルであるビデオ管理情報管理テーブル（ＶＭＧＩ＿ＭＡＴ）１７８は、必須のテーブルであってビデオマネージャー１７１のサイズ、このビデオマネージャー１７１中の各情報のスタートアドレス、ビデオマネージャーメニュー用のビデオオブジェクトセット（ＶＭＧＭ＿ＶＯＢＳ）１７６のスタートアドレス及びその属性情報等が記述されている。この属性情報には、ビデオの属性情報、オーディオの属性情報及び副映像の属性情報があり、これらの属性情報よってデコーダ５８、６０、６２及び再生処理部６４のモードが変更され、ビデオオブジェクトセット（ＶＭＧＭ＿ＶＯＢＳ）１７６が適切なモードで再生される。
【００３７】
また、ビデオマネージャー１７１の第２のテーブルであるタイトルサーチポインターテーブル（ＴＴ＿ＳＲＰＴ）１７９には、装置のキー及び表示部４からのタイトル番号の入力に応じて選定可能な当該光ディスク１０中のボリュームに含まれるビデオタイトルセットのスタートアドレスが記載されている。
【００３８】
ビデオマネージャー１７１の第３のテーブルであるビデオマネージャーメニューＰＧＣＩユニットテーブル（ＶＭＧＭ＿ＰＧＣＩ＿ＵＴ）１８０は、ビデオマネージャーメニュー用のビデオオブジェクト（ＶＭＧＭ＿ＶＯＢ）１７６がある場合には、必須項目とされている。ビデオマネージャーメニュー用のビデオオブジェクト（ＶＭＧＭ＿ＶＯＢ）１７６内には、種々の言語に対応したプログラムチェーンが設けられ、この各言語に対応したメニュー用のプログラムチェーンに関する情報が記述されている。
【００３９】
ビデオマネージャー１７１の第４のテーブルであるビデオタイトルセット属性テーブル（ＶＴＳ＿ＡＴＲＴ）１８０には、当該光ディスクのボリューム中のビデオタイトルセット（ＶＴＳ）１７２に定められた属性情報が記載される。即ち、属性情報としてビデオタイトルセット（ＶＴＳ）１７２の数、ビデオタイトルセット（ＶＴＳ）１７２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている。
【００４０】
ここで、プログラムチェーン１８７とは、図５に示すようにあるタイトルのストーリーを再現するプログラム１８９の集合と定義される。メニュー用のプログラムチェーンにあっては、静止画或いは動画のプログラムがページとして次々に再現されて１タイトルのメニューが完結されることとなる。また、タイトルセット用のプログラムチェーンにあっては、プログラムチェーンが複数プログラムから成るあるストーリーのある章が該当し、プログラムチェーンが連続して再現されることによってある１タイトルの映画が完結される。図５に示されるように各プログラム１８９は、再生順序に配列された既に説明したセル１８４の集合として定義される。
【００４１】
次に、図２に示されたビデオタイトルセット（ＶＴＳ）１７２の論理フォーマットの構造について図６を参照して説明する。各ビデオタイトルセット（ＶＴＳ）１７２には、図６に示すようにその記載順に４つの項目１９４、１９５、１９６、１９７が記載されている。また、各ビデオタイトルセット（ＶＴＳ）１７２は、共通の属性を有する１又はそれ以上のビデオタイトルから構成され、このビデオタイトル１７２についての管理情報、例えば、ビデオオブジェクトセット１９６を再生する為の情報、タイトルセットメニュー（ＶＴＳＭ）を再生する為の情報及びビデオオブジェクトセット１７２の属性情報がビデオタイトルセット情報（ＶＴＳＩ）に記載されている。
【００４２】
このビデオタイトルセット情報（ＶＴＳＩ）１９４のバックアップ１９７がビデオタイトルセット（ＶＴＳ）１７２に設けられている。ビデオタイトルセット情報（ＶＴＳＩ）１９４とこの情報のバックアップ（ＶＴＳＩ＿ＢＵＰ）１９７との間には、ビデオタイトルセットメニュー用のビデオオブジェクトセット（ＶＴＳＭ＿ＶＯＢＳ）１９５及びビデオタイトルセットタイトル用のビデオオブジェクトセット（ＶＴＳＴＴ＿ＶＯＢＳ）１９６が配置されている。いずれのビデオオブジェクトセット（ＶＴＳＭ＿ＶＯＢＳ及びＶＴＳＴＴ＿ＶＯＢＳ）１９５、１９６は、既に説明したように図４に示す構造を有している。
【００４３】
ビデオタイトルセット情報（ＶＴＳＩ）１９４、この情報のバックアップ（ＶＴＳＩ＿ＢＵＰ）１９７及びビデオタイトルセットタイトル用のビデオオブジェクトセット（ＶＴＳＴＴ＿ＶＯＢＳ）１９６は、ビデオタイトルセット１７２にとって必須の項目され、ビデオタイトルセットメニュー用のビデオオブジェクトセット（ＶＴＳＭ＿ＶＯＢＳ）１９５は、必要に応じて設けられるオプションとされている。
【００４４】
ビデオタイトルセット情報（ＶＴＳＩ）１９４は、図６に示すように７つのテーブル１９８、１９９、２００、２０１、２１１、２１２、２１３から構成され、この７つのテーブル１９８、１９９、２００、２０１、２１１、２１２、２１３は、論理セクタ間の境界に一致されている。これらのテーブルには、階層構造で種々の情報が記述されている。
【００４５】
第１のテーブルであるビデオタイトルセット情報管理テーブル（ＶＴＳＩ＿ＭＡＴ）１９８は、必須のテーブルであってビデオタイトルセット（ＶＴＳ）１７２のサイズ、ビデオタイトルセット（ＶＴＳ）１７２中の各情報の開始アドレス及びビデオタイトルセット（ＶＴＳ）１７２中のビデオオブジェクトセット（ＶＯＢＳ）１８２の属性が記述されている。
【００４６】
第２のテーブルであるビデオタイトルセットパートオブタイトルサーチポインタテーブル（ＶＴＳ＿ＰＴＴ＿ＳＲＰＴ）１９９は、必須のテーブルであってユーザーが装置のキー操作／表示部４から入力した番号に応じて選定可能なビデオタイトルの部分、即ち、選定可能な当該ビデオタイトルセット１７２中に含まれるプログラムチェーン（ＰＧＣ）及び又はプログラム（ＰＧ）が記載されている。ユーザーは、光ディスク１０の配布とともにパンフレットに記載した入力番号中から任意の番号をキー操作／表示部４で指定すると、その入力番号に応じたストーリー中の部分からビデオを鑑賞することができる。この選択可能なタイトルのパートは、タイトル提供者が任意に定めることができる。
【００４７】
第３のテーブルであるビデオタイトルセットプログラムチェーン情報テーブル（ＶＴＳ＿ＰＧＣＩＴ）２１１は、必須のテーブルであってＶＴＳのプログラムチェーンに関する情報、即ち、ＶＴＳプログラムチェーン情報（ＶＴＳ＿ＰＧＣＩ）を記述している。即ち、このテーブル（ＶＴＳ＿ＰＧＣＩＴ）２１１には、ビデオタイトルセットタイトル用ビデオオブジェクトセット（ＶＴＳＴＴ＿ＶＯＢＳ）１９６中に格納されたプログラムチェーンＰＧＣ１８７の再生情報を獲得するためのビデオタイトルセットＰＧＣ情報（ＶＴＳ＿ＰＧＣＩ）のサーチポインタ（ＶＴＳ＿ＰＧＣＩ＿ＳＲＰ＃ｎ）がＰＧＣの数だけ設けられている。また、このサーチポインタ（ＶＴＳ＿ＰＧＣＩ＿ＳＲＰ＃ｎ）で指定されるＰＧＣ情報（ＶＴＳ＿ＰＧＣＩ＃ｎ）には、ＰＧＣの内容（ＰＧＣ＿ＣＮＴ）等が記述されたＰＧＣ一般情報（ＰＧＣ＿ＧＩ）、該当するＰＧＣを構成するプログラムのマップがその再生順に記載されたＰＧＣプログラムマップ（ＰＧＣ＿ＰＧＭＡＰ）及びがＰＧＣプログラムマップ（ＰＧＣ＿ＰＧＭＡＰ）に記述の各プログラムを構成するセルに関する情報がその再生順に記述されたセル再生情報テーブル（Ｃ＿ＰＢＩ）に記載されている。ＰＧＣプログラムマップ（ＰＧＣ＿ＰＧＭＡＰ）でプログラムが特定され、このプログラムが特定されることでそのプログラム内のセルの再生情報がセル再生情報テーブル（Ｃ＿ＰＢＩ）から獲得することができる。また、セル再生情報テーブル（Ｃ＿ＰＢＩ）には、各セル中で最初に再生されるＶＯＢＵの開始アドレス及び最後に再生されるＶＯＢＵの開始アドレスが記述されている。
【００４８】
第４のテーブルであるビデオタイトルセットメニューＰＧＣＩユニットテーブル（ＶＴＳＭ＿ＰＧＣＩ＿ＵＴ）１１１は、ビデオタイトルセットメニュー用のビデオオブジェクトセット（ＶＴＳＭ＿ＶＯＢＳ）９５が設けられる場合には、必須項目とされ、各言語毎に設けられたビデオタイトルセットメニュー（ＶＴＳＭ）を再現するためのプログラムチェーンについての情報が記述されている。このビデオタイトルセットメニューＰＧＣＩユニットテーブル（ＶＴＳＭ＿ＰＧＣＩ＿ＵＴ）２１１を参照することによってビデオオブジェクトセット（ＶＴＳＭ＿ＶＯＢＳ）１９５中の指定した言語のプログラムチェーンを獲得してメニューとして再現することができる。
【００４９】
第５のテーブルであるビデオタイトルセットタイムサーチマップテーブル（ＶＴＳ＿ＭＡＰＴ）１０１は、必要に応じて設けられるオプションのテーブルであって再生表示の一定時間に対するこのマップテーブル（ＶＴＳ＿ＭＡＰＴ）１０１が属するタイトルセット１７２の各プログラムチェーン（ＰＧＣ）内のビデオデータの記録位置に関する情報が記述されている。
【００５０】
第６のテーブルであるビデオタイトルセットセルアドレステーブル（ＶＴＳ＿Ｃ＿ＡＤＴ）１１２は、必須項目とされ、図４を参照して説明したように全てのビデオオブジェクト１８３を構成する各セル１８４のアドレス或いは、セルを構成するセルピースのアドレスがビデオオブジェクトの識別番号の順序で記載されている。ここで、セルピースとは、セルを構成するピースであって、このセルピースを基準にインタリーブ処理されてセルがビデオオブジェクト１８３中に配列される。
【００５１】
第７のテーブルであるビデオタイトルセットビデオオブジェクトユニットアドレスマップ（ＶＴＳ＿ＶＯＢＵ＿ＡＤＭＡＰ）２１３は、必須項目とされ、ビデオタイトルセット中のビデオオブジェクトユニット１８２のスタートアドレスが全てその配列順序で記載されている。
【００５２】
図４を参照して説明したようにセル１８４は、ビデオオブジェクトユニット（ＶＯＢＵ）１８５の集合とされ、ビデオオブジェクトユニット（ＶＯＢＵ）１８５は、ナビゲーション（ＮＶ）パック１８６から始まるパック列として定義される。従って、セル１８４中の最初のビデオオブジェクトユニット（ＶＯＢＵ）１８５のスタートアドレス（Ｃ＿ＦＶＯＢＵ＿ＳＡ）は、ＮＶパック１８６のスタートアドレスを表すこととなる。このＮＶパック１８６は、図７に示すようにパックヘッダ１１０、システムヘッダ１１１及びナビゲーションデータとしての２つのパケット、即ち、再生制御情報（ＰＣＩ）パケット１１６及びデータサーチ情報（ＤＳＩ）パケット１１７から成る構造を有し、図７に示すようなバイト数が各部に付り当てられ、１パックが１論理セクタに相当する２０４８バイトに定められている。また、このＮＶパックは、オブジェクトユニット（ＶＯＢＵ）１８５内でその先頭に配置されている。オブジェクトユニット１８５がビデオパックを含まない場合であってもＮＶパックがオーディオパック１９１又は／及び副映像パック１９０を含むオブジェクトユニット１８５の先頭に配置される。このようにオブジェクトユニット１８５がビデオパック１８８を含まない場合であってもオブジェクトユニット１８５がビデオパック１８８を含む場合と同様にオブジェクトユニット１８５の再生時間は、ビデオが再生される単位を基準に定められる。
【００５３】
ここで、ＧＯＰとは、ＭＰＥＧの規格で定められ、既に説明したように複数画面を構成するデータ列として定義される。即ち、ＧＯＰとは、圧縮されたデータに相当し、この圧縮データを伸張させると動画を再生することができる複数フレームの画像データが再生される。パックヘッダ１１０及びシステムヘッダ１１１は、ＭＰＥＧ２のシステムレーヤで定義され、パックヘッダ２１０には、パック開始コード、システムクロックリファレンス（ＳＣＲ）及び多重化レートの情報が格納され、システムヘッダ１１１には、ビットレート、ストリームＩＤが記載されている。ＰＣＩパケット１１６及びＤＳＩパケット１１７のパケットヘッダ１１２、１１４には、同様にＭＰＥＧ２のシステムレーヤに定められているようにパケット開始コード、パケット長及びストリームＩＤが格納されている。
【００５４】
他のビデオ、オーディオ、副映像パック１８８、１８９、１８０、１９１は、図８に示すようにＭＰＥＧ２のシステムレーヤに定められると同様にパックヘッダ１１０、パケットヘッダ１１１及び対応するデータが格納されたパケット１１２から構成され、そのパック長は、２０４８バイトに定められている。これらの各パックは、論理ブロックの境界に一致されている。
【００５５】
ＰＣＩパケット１１６のＰＣＩデータ（ＰＣＩ）１１３は、ＶＯＢユニット（ＶＯＢＵ）１８５内のビデオデータの再生状態に同期してプレゼンテーション、即ち、表示の内容を変更する為のナビゲーションデータである。即ち、ＰＣＩデータ（ＰＣＩ）１１３には、図９に示されるようにＰＣＩ全体の情報としてのＰＣＩ一般情報（ＰＣＩ＿ＧＩ）及びアングル変更時における各飛び先アングル情報としてのアングル情報（ＮＳＭＬＳ＿ＡＮＧＬＩ）が記述されている。ＰＣＩ一般情報（ＰＣＩ＿ＧＩ）には、図１０に示されるようにＰＣＩ１１３が記録されているＶＯＢＵ１８５の論理ブロックからの相対的論理ブロック数でそのＰＣＩ１１３が記録されているＮＶパック（ＮＶ＿ＰＣＫ）１８６のアドレス（ＮＶ＿ＰＣＫ＿ＬＢＮ）が記述されている。また、ＰＣＩ一般情報（ＰＣＩ＿ＧＩ）には、ＶＯＢＵ１８５のカテゴリー（ＶＯＢＵ＿ＣＡＴ）、ＶＯＢＵ１８５のスタート再現時間（ＶＯＢＵ＿Ｓ＿ＰＴＭ）及び再現終了時間（ＶＯＢＵ＿ＥＰＴＭ）が記述されている。ここで、ＶＯＢＵ１８５のスタートＰＴＳ（ＶＯＢＵ＿ＳＰＴＳ）は、当該ＰＣＩ１１３が含まれるＶＯＢＵ１８５中のビデオデータの再生開始時間（スタートプレゼンテーションタイム）を示している。この再生開始時間は、ＶＯＢＵ１８５中の最初の再生開始時間である。通常は、最初のピクチャーは、ＭＰＥＧの規格におけるＩピクチャー（Intra-Picture ）の再生開始時間に相当する。ＶＯＢＵ８５の終了ＰＴＳ（ＶＯＢＵ＿ＥＰＴＳ）は、当該ＰＣＩ１１３が含まれるＶＯＢＵ１８５の再生終了時間（終了プレゼンテーションタイム）を示している。
【００５６】
図７に示したＤＳＩパケット１１７のＤＳＩデータ（ＤＳＩ）１１５は、ＶＯＢユニット（ＶＯＢＵ）１８５のサーチを実行する為のナビゲーションデータである。ＤＳＩデータ（ＤＳＩ）１１５には、図１１に示すようにＤＳＩ一般情報（ＤＳＩ＿ＧＩ）、シームレス再生情報（ＳＭＬ＿ＰＢＩ）、アングル情報（ＳＭＬ＿ＡＧＬＩ）、ビデオオブジェクトユニット（ＶＯＢＵ）のサーチ情報（ＶＯＢＵ＿ＳＲＩ）及び同期再生情報（ＳＹＮＣＩ）が記述されている。
【００５７】
ＤＳＩ一般情報（ＤＳＩ＿ＧＩ）は、そのＤＳＩデータ１１５全体の情報が記述されている。即ち、図１２に示すようにＤＳＩ一般情報（ＤＳＩ＿ＧＩ）には、ＮＶパック１８６のシステム時刻基準参照値（ＮＶ＿ＰＣＫ＿ＳＣＲ）が記載されている。このシステム時刻基準参照値（ＮＶ＿ＰＣＫ＿ＳＣＲ）は、図１に示す各部に組み込まれているシステムタイムクロック（ＳＴＣ）に格納され、このＳＴＣを基準にビデオ、オーディオ及び副映像パックがビデオ、オーディオ及び副映像デコーダ部５８、６０、６２でデコードされ、ビデオ及び音声がモニタ部６及びスピーカ部８で再生される。ＤＳＩ一般情報（ＤＳＩ＿ＧＩ）には、ＤＳＩ１１５が記録されているＶＯＢセット（ＶＯＢＳ）１８２の先頭論理ブロックからの相対的論理ブロック数（ＲＬＳＮ）でＤＳＩ１１５を有するＮＶパック（ＮＶ＿ＰＣＫ）１８６のスタートアドレス（ＮＶ＿ＰＣＫ＿ＬＢＮ）が記載され、ＶＯＢユニット（ＶＯＢＵ）の先頭論理ブロックからの相対的論理ブロック数（ＲＬＳＮ）でＤＳＩ１１５が記録されているＶＯＢユニット（ＶＯＢＵ）１８５中の最終パックのアドレス（ＶＯＢＵ＿ＥＡ）が記載されている。
【００５８】
更に、ＤＳＩ一般情報（ＤＳＩ＿ＧＩ）には、ＤＳＩ１１５が記録されているＶＯＢユニット（ＶＯＢＵ）の先頭論理セクタからの相対的論理セクタ数（ＲＬＳＮ）でこのＶＯＢＵ内での最初のリファレンスピクチャー、即ち、最初のＩピクチャーの最終データが記録されているＶパック（Ｖ＿ＰＣＫ）１８８の終了アドレス（ＶＯＢＵ＿１ＳＴＲＥＦ＿ＥＡ）が記載されている。このＤＳＩ一般情報（ＤＳＩ＿ＧＩ）がＭＰＵ部５０で獲得されてＩピクチャーの終了アドレスがＭＰＵ部５０で獲得され、そのビデオパック（Ｖ＿ＰＣＫ）１８８が検索されると、その内のビデオパケット１２２のビデオデータがデコーダ５８に供給され、このデータによってＩピクチャーのみが再生される。ＶＯＢユニット（ＶＯＢＵ）内にＩピクチャーがない場合には、リファアレンスピクチャーの終了アドレス（ＶＯＢＵ＿１ＳＴＲＥＦ＿ＥＡ）には、００００００００ｈが記述される。同様に、ＤＳＩ一般情報（ＤＳＩ＿ＧＩ）には、ＤＳＩ１１５が記録されているＶＯＢユニット（ＶＯＢＵ）の先頭論理セクタからの相対的論理セクタ数（ＲＬＳＮ）でこのＶＯＢＵ内での第２番目のリファレンスピクチャー、即ち、最初のＩまたはＰピクチャー（通常は、Ｉピクチャー）の最終アドレスが記録されているＶパック（Ｖ＿ＰＣＫ）１８８の終了アドレス（ＶＯＢＵ＿２ＮＤＲＥＦ＿ＥＡ）が記載され、また、ＤＳＩ一般情報（ＤＳＩ＿ＧＩ）には、ＤＳＩ１１５が記録されているＶＯＢユニット（ＶＯＢＵ）の先頭論理セクタからの相対的論理セクタ数（ＲＬＳＮ）でこのＶＯＢＵ内での第３番目のリファレンスピクチャー、即ち、最初のＩまたはＰピクチャー（通常は、Ｐピクチャー）の最終アドレスが記録されているＶパック（Ｖ＿ＰＣＫ）１８８の終了アドレス（ＶＯＢＵ＿３ＲＤＲＥＦ＿ＥＡ）が記載されている。更に、ＤＳＩ一般情報（ＤＳＩ＿ＧＩ）には、当該ＤＳＩ１１５が記録されているＶＯＢＵ１８３の識別番号（ＶＯＢＵ＿ＶＯＢ＿ＩＤＮ）及び当該ＤＳＩ１１５が記録されているセルの識別番号（ＶＯＢＵ＿Ｃ＿ＩＤＮ）が記載されている。また、ＤＳＩ一般情報（ＤＳＩ＿ＧＩ）には、このＤＳＩが含まれるセル中で最初のビデオフレームからこのＤＳＩが含まれるＶＯＢＵの最初のビデオフレームまでののセル経過時間（Ｃ＿ＥＬＴＭ）ＤＳＩのナビゲーションパックアドレス情報には、所定数のナビゲーションパックのアドレスが記述されている。このアドレスを参照してビデオの早送り等が実行される。また、同期情報（ＳＹＮＣＩ）には、ＤＳＩ１１５が含まれるＶＯＢユニット（ＶＯＢＵ）のビデオデータの再生開始時間と同期して再生する副映像及びオーディオデータのアドレス情報が記載される。即ち、図１３に示すようにＤＳＩ１１５が記録されているＮＶパック（ＮＶ＿ＰＣＫ）２８６からの相対的な論理セクタ数（ＲＬＳＮ）で目的とするオーディオパック（Ａ＿ＰＣＫ）１９１のスタートアドレス（Ａ＿ＳＹＮＣＡ）が記載される。オーディオストリームが複数（最大８）ある場合には、その数だけ同期情報（ＳＹＮＣＩ）が記載される。また、同期情報（ＳＹＮＣＩ）には、目的とするオーディオパック（ＳＰ＿ＰＣＫ）１９１を含むＶＯＢユニット（ＶＯＢＵ）１８２のＮＶパック（ＮＶ＿ＰＣＫ）１８６のアドレス（ＳＰ＿ＳＹＮＣＡ）がＤＳＩ１１５が記録されているＮＶパック（ＮＶ＿ＰＣＫ）１８６からの相対的な論理セクタ数（ＲＬＳＮ）で記載されている。副映像ストリームが複数（最大３２）ある場合には、その数だけ同期情報（ＳＹＮＣＩ）が記載される。
【００５９】
ＶＯＢＵのサーチ情報（ＶＯＢＵ＿ＳＲＩ）には、図１４に示すように当該ＤＳＩ１１５を含むＶＯＢユニット（ＶＯＢＵ）１８５を基準にその再生順序に従ってフォワードアドレス（ＦＷＤＩＮn ）として次（ＮＥＸＴ）、＋１から＋２０、＋６０、＋１２０及び＋２４０のＶＯＢユニット（ＶＯＢＵ）１８５中にビデオパックが有ることを示すフラグ及びそのスタートアドレス（ＦＷＤｎ）が当該ＶＯＢユニットの先頭論理セクタからの相対的な論理セクタ数で記載されている。また、同様に、ＶＯＢＵのサーチ情報（ＶＯＢＵ＿ＳＲＩ）には、当該ＤＳＩ１１５を含むＶＯＢユニット（ＶＯＢＵ）１８５を基準にその逆再生順序に従って、即ち、バックワード再生方向にバックワードアドレス（ＢＷＤＩＮn ）として手前（PREV) 、−１から−２０、−６０、−１２０及び−２４０までのＶＯＢユニット（ＶＯＢＵ）８５中にビデオパックが有ることを示すフラグ及びそのスタートアドレス（Ａ＿ＢＷＤｎ）が当該ＶＯＢユニットの先頭論理セクタからの相対的な論理セクタ数で記載されている。
【００６０】
また、ＶＯＢＵのサーチ情報（ＶＯＢＵ＿ＳＲＩ）として当該ＶＯＢユニット（ＶＯＢＵ）１８５を基準に次にビデオデータを含むＶＯＢユニット（ＶＯＢＵ）１８５のフォワードアドレス（ＢＷＤＩ VIDE ）のスタートアドレス及びビデオデータを含むＶＯＢユニット（ＶＯＢＵ）１８５のバックワードアドレス（ＢＷＤ VIDE ）のスタートアドレスが記述されている。
【００６１】
ＶＯＢＵのサーチ情報（ＶＯＢＵ＿ＳＲＩ）は、具体的には、図１５及び図１６に示すように記述される。即ち、フォワードアドレス（ＦＷＤＩＮn ）及びバックワードアドレス（ＢＷＤＩＮn ）は、それぞれ図１５及び図１６に示すように３２ビットで記述され、ビット番号ｂ２９からｂ０にスタートアドレスが記述されている。また、フォワードアドレス（ＦＷＤＩＮn ）及びバックワードアドレス（ＢＷＤＩＮn ）のビット番号ｂ３１には、そのアドレスで指定されるビデオユニットＶＯＢＵにビデオデータがあるか否かの情報（Ｖ_ ＦＷＤ_ Ｅｘｉｓｔ  １）が記述される。Ｖ_ ＦＷＤ_ Ｅｘｉｓｔ  １に“０ｂ”が記述される場合には、アドレス（ＦＷＤＡｎ）のＶＯＢＵには、ビデオデータがなく、Ｖ_ ＦＷＤ_ Ｅｘｉｓｔ  １に“１ｂ”が記述される場合には、アドレス（ＦＷＤＡｎ）のＶＯＢＵには、ビデオデータがあることとなる。フォワードアドレス（ＦＷＤＩＮn ）及びがバックワードアドレス（ＢＷＤＩＮn ）のビット番号ｂ３０には、当該ビデオユニットＶＯＢＵとそのアドレスで指定されるビデオユニットＶＯＢＵとの間のビデオユニットＶＯＢＵにビデオデータがあるか否かの情報（Ｖ_ ＦＷＤ_ Ｅｘｉｓｔ  １）が記述される。より詳細には、“０ｂ”が記述される場合には、アドレス（ＦＷＤＡｎ）のＶＯＢＵには、ビデオデータがなく、“１ｂ”が記述される場合には、アドレス（ＦＷＤＡｎ）のＶＯＢＵには、ビデオデータがあることを示している。あるセル内でアドレス（ＦＷＤＡｎ）で指定されるビデオユニットＶＯＢＵがない場合には、そのアドレスとして“３FFF FFFFh ”が記述されるが、この場合には、当該セル中の最終アドレスと当該ビデオユニットＶＯＢＵとの間のビデオユニットＶＯＢＵにビデオデータがあるか否かの情報（Ｖ_ ＦＷＤ_ Ｅｘｉｓｔ  １）がこの“３FFF FFFFh ”とともに記述される。
【００６２】
次に、再び図１を参照して図２から図１６に示す論理フォーマットを有する光ディスク１０からのデータの再生動作について説明する。
【００６３】
始めに、ビデオマネージャー（ＶＭＧ）１７１を利用してビデオタイトルセット（ＶＴＳ）１７２を獲得する動作を図１７を参照して説明する。図１に示される光ディスク装置においては、電源が投入され、光ディスク１０が装填されると、システム用ＲＯＭ及びＲＡＭ部５２からシステムＭＰＵ部５０は、初期動作プログラムを読み出し、ディスクドライブ部３０を作動させて検索動作がステップＳ４１に示すように開始される。従って、ディスクドライブ部３０は、リードイン領域２７から読み出し動作を開始し、リードイン領域２７に続く、ＩＳＯ−９６６０等に準拠してボリュームとファイル構造を規定したボリューム及びファイル構造領域７０が読み出される。即ち、システムＭＰＵ部５０は、ディスクドライブ部３０にセットされたディスク１０の所定位置に記録されているボリューム及びファイル構造領域１７０を読み出す為に、ディスクドライブ部３０にリード命令を与え、ボリューム及びファイル構造領域１７０の内容を読み出し、システムプロセッサ部５４を介して、データＲＡＭ部５６に一旦格納する。システムＭＰＵ部５０は、データＲＡＭ部５６に格納されたパステーブル及びディレクトリレコードを介して各ファイルの記録位置や記録容サイズ等の情報やその他管理に必要な情報としての管理情報を抜き出し、システム用ＲＯＭ＆ＲＡＭ部５２の所定の場所に転送し、保存する。
【００６４】
次に、システムＭＰＵ部５０は、ステップＳ４２に示すようにシステム用ＲＯＭ＆ＲＡＭ部５２から各ファイルの記録位置や記録容量の情報を参照してファイル番号０番から始まる複数ファイルから成るビデオマネージャー（ＶＭＧ）２７１を取得する。即ち、システムＭＰＵ部５０は、システム用ＲＯＭ及びＲＡＭ部５２から取得した各ファイルの記録位置や記録容量の情報を参照してディスクドライブ部３０に対してリード命令を与え、ルートディレクトリ上に存在するビデオマネージャー１７１を構成する複数ファイルの位置及びサイズを取得し、このビデオマネージャー（ＶＭＧ）１７１を読み出し、システムプロセッサ部５４を介して、データＲＡＭ部５６に格納する。その後、システムＭＰＵ部５０は、データＲＡＭ部５６に格納されたビデオマネージャー（ＶＭＧ）１７１からステップＳ４３に示すようにビデオ管理情報テーブル（ＶＭＧＩ＿ＭＡＴ）１７８に記述の各テーブル（ＴＴ＿ＳＲＰＴ、ＶＭＧＭ＿ＰＧＣＩ＿ＵＴ，ＶＴＳ＿ＡＲＴ）の開始アドレスを取得して各テーブルの取得が可能となる。ここで、ユーザーがタイトルを記載したタイトル用の冊子を見てビデオタイトルセットを特定する番号を取得してステップＳ４４で示すようにキー操作及び表示部４を介してその番号がユーザーによって直接入力される場合には、ステップＳ４８に移行される。また、キー操作及び表示部４を介するユーザーからの入力がない場合には、ステップＳ４５で示すようにメニュー用データとしてＶＭＧＭビデオオブジェクトセット（ＶＭＧＭ＿ＶＯＢＳ）１７６の有無がビデオ管理情報テーブル（ＶＭＧＩ＿ＭＡＴ）１７８から確認される。ＶＭＧＭビデオオブジェクトセット（ＶＭＧＭ＿ＶＯＢＳ）１７６がない場合には、ユーザーからの入力により或は、予め定められたビデオタイトルセットが選択され、ステップＳ４８に移行される。ＶＭＧＭビデオオブジェクトセット（ＶＭＧＭ＿ＶＯＢＳ）１７６がある場合には、ＶＭＧＭのビデオ属性情報（ＶＭＧＭ＿Ｖ＿ＡＴＲ）、音声及び副映像ストリームの属性情報（ＶＭＧＭ＿ＡＳＴ＿ＡＴＲ、ＶＭＧＭ＿ＳＰＳＴ＿ＡＴＲ）がビデオ管理情報テーブル（ＶＭＧＩ＿ＭＡＴ）１７８から獲得される。その後、ステップＳ４７に示すようにメニューが表示され、このメニューの表示に従って、ユーザーがキー操作及び表示部４を介してビデオタイトルセット（ＶＴＳ）１７２を選択することとなる。ビデオタイトルセット（ＶＴＳ）１７２が選択されると、ビデオマネージャー（ＶＭＧ）１７１内のタイトルサーチポインタテーブル（ＴＴ＿ＳＲＰＴ）１７９から選択されたビデオタイトルセットに対応するビデオタイトルセット番号（ＶＴＳＮ）、タイトル番号（ＶＴＳ＿ＴＴＮ）及びビデオタイトルセットの開始アドレス（ＶＴＳ＿ＳＡ）が獲得される。更に、システムＭＰＵ部５０は、ビデオタイトルセット属性テーブル（ＶＴＳ＿ＡＴＲＴ）１８１から取得したビデオタイトルセット番号（ＶＴＳＮ）の属性情報（ＶＴＳ＿Ｖ＿ＡＴＲ、ＶＴＳ＿ＡＳＴ＿ＡＴＲ、ＶＴＳ＿ＳＰＳＴ）を取得する。この属性情報（ＶＴＳ＿Ｖ＿ＡＴＲ、ＶＴＳ＿ＡＳＴ＿ＡＴＲ、ＶＴＳ＿ＳＰＳＴ）を基に各々のビデオデコーダ部５８、オーディオデコーダ部６０及び副映像デコーダ部６２にビデオマネージャーメ二ュー再生のためのパラメータが設定される。また、属性情報に従って、Ｄ／Ａ変換部６３及びビデオプロセッサ部６４がセットされる。この一連の手順でステップＳ５０で示すようにビデオタイトルセット２７６の取得準備が整うこととなる。
【００６５】
次にタイトルの選択が終了した後のプログラムチェーンの検索及び再生動作について図１８に示すフローを参照して説明する。即ち、メニューを参照してプログラムチェーン（ＰＧＣ）がキー操作／表示部４で指定される場合には、次のような手順で対象とするプログラムチェーンがサーチされる。このプログラムチェーンのサーチは、ビデオタイトルセットにおけるタイトルの為のプログラムチェーンに限らず、メニューがプログラムチェーンで構成される比較的複雑なメニューにおいてもそのメニューの為のプログラムチェーンのサーチに関しても同様の手順が採用される。図１８に示すようにステップＳ５１に示すようにサーチ動作が開始されると、システムＭＰＵ部５０は、既に述べたようにビデオタイトルセット情報１７２をステップＳ５２で示すように獲得する。次に、ステップＳ５２に示すように獲得されたビデオタイトルセット情報１７２から各テーブルの開始アドレスが取得される。この開始アドレス中のビデオタイトルセットパートオブタイトルサーチポインタテーブル（ＶＴＳ＿ＰＴＴ＿ＳＲＰＴ）１９９の開始アドレス（ＶＴＳ＿ＰＴＴ＿ＳＲＰＴ＿ＳＡ）からこのテーブル（ＶＴＳ＿ＰＴＴ＿ＳＲＰＴ）１９９が獲得される。次にステップＳ５４で示すようにビデオマネージャー（ＶＭＧ）１７１のタイトルサーチポインタ（ＴＴ＿ＳＲＰ）１７９を参照して獲得したビデオタイトルセット１９６の番号（ＶＴＳＮ）及びＶＴＳタイトル番号（ＶＴＳ＿ＴＴＮ）によりユーザにより指定したパートオブタイトルに相当するＰＧＣ番号及びＰＧ番号が取得される。
【００６６】
ＶＴＳ−ＰＧＣＩテーブル（ＶＴＳ−ＰＧＣＩＴ）２００が参照されてこのテーブル２００内に記載されるこの取得されたＰＧＣ番号に相当するＶＴＳ＿ＰＧＣＩサーチポインタ＃ｎ（ＶＴＳ＿ＰＧＣＩ＿ＳＲＰ＃ｎ）が取得され、このポインタ＃ｎ（ＶＴＳ＿ＰＧＣＩ＿ＳＲＰ＃ｎ）によってそのＶＴＳ＿ＰＧＣのカテゴリー（ＶＴＳ＿ＰＧＣ＿ＣＡＴ）及びそのポインタで指し示されるＶＴＳ＿ＰＧＣ情報（ＶＴＳ＿ＰＧＣＩ＃ｎ）の開始アドレス（ＶＴＳ＿ＰＧＣＩ＿ＳＡ）が獲得される。ステップＳ５６に示すようにＶＴＳ＿ＰＧＣ情報（ＶＴＳ＿ＰＧＣＩ＃ｎ）の開始アドレス（ＶＴＳ＿ＰＧＣＩ＿ＳＡ）から取得されたＰＧＣ番号に相当するＶＴＳに関する情報が記述されているＶＴＳ＿ＰＧＣ情報（ＶＴＳ＿ＰＧＣＩ＃ｎ）が獲得される。ステップＳ５７に示すように獲得されたＶＴＳ＿ＰＧＣ情報（ＶＴＳ＿ＰＧＣＩ＃ｎ）のＰＧＣ一般情報（ＰＧＣ＿ＧＩ）からＰＧＣの内容（ＰＧＣ＿ＣＮＴ）が獲得されてＰＧＣ＿ＣＮＴの記述から当該ＰＧＣ内のプログラム数及びセル数が獲得される。ＰＧＣを構成するプログラムのマップが記述されたＰＧＣマップ（ＰＧＣ＿ＭＡＰ）及びそのプログラムに対応して設けられ、そのＰＧＣ内で再生されるセルに関する再生情報が記述されたセル再生情報（Ｃ＿ＰＢＩＴ）が獲得されてステップＳ５９で示すように指定されたＰＧＣ（ｘ）の再生、即ち、セルの再生が開始される。セルの再生によってあるＰＧＣの再生が終了すると、ステップＳ６０で示すようにそのＰＧＣ番号が更新され（ｘ＝ｘ＋１）、ステップＳ６１で示すように更新されたＰＧＣ番号があるか確認される。即ち、次のＰＧＣ番号のＰＧＣがある場合には、ステップＳ５９に移行され、その更新されたＰＧＣが再生される。
【００６７】
あるＰＧＣの再生におけるセルの再生処理ステップ５９は、具体的には、次のように処理される。即ち、セルの再生開始時にそのセルがあるＰＧＣにおける最初のセルに該当するかが判別される。最初のセルである場合には、そのセルの先頭のビデオオブジェクトユニット（ＶＯＢＵ）のナビゲーションパックの転送を待ってそのナビゲーションパックのデータがシステムＲＯＭ−ＲＡＭ５２に取り込まれる。このナビゲーションパックに記述のＳＣＲ（ＮＶ＿ＰＣＫ＿ＳＣＲ）に従って、ＭＰＵ部５０によってデコーダ５８，６０，６２のＳＴＣがセットされ、ナビゲーションパックの記述に関連した処理がある場合には、その処理が実行される。最初のセルでない場合には、そのセルが前のセルと連続しているかが、判別され、連続している場合には、同様にこのナビゲーションパックに記述のＳＣＲ（ＮＶ＿ＰＣＫ＿ＳＣＲ）に従って、ＭＰＵ部５０によってデコーダ５８，６０，６２のＳＴＣがセットされ、ナビゲーションパックの記述に関連した処理がある場合には、その処理が実行される。セルが前のセルと連続していない場合には、ＭＰＵ部５０は、目的のセルアドレスでセルをサーチしてそのセルを獲得して最初のセルを獲得した際と同様の処理が実行される。セルの獲得によってそのセルを構成するビデオオブジェクトユニット（ＶＯＢＵ）がシステムプロセッサ５４に読み出され、その内のパックが対応するデコーダ５８，６０，６２に与えられ、デコードされる。この一連の動作は、セル中の最初のビデオオブジェクトが獲得されてから最後のビデオオブジェクトユニット（ＶＯＢＵ）が獲得されるまで繰り返される。セルの再生によって次々にＰＧＣが再生されることとなる。
【００６８】
再生されたＰＧＣが最終ＰＧＣである場合には、ステップＳ６５に示すようにその次のＰＧＣ番号があるかが確認される。次のＰＧＣ番号がある場合には、再びステップＳ５５に移行され、次のＰＧＣ番号がない場合には、ステップＳ６６に示すようにＰＧＣの再生が終了される。
【００６９】
上述した通常再生以外の早送り、即ち、ファーストフォワード（ＦＦ）再生及びファーストリワード（ＦＲ）等の特殊再生は、ＶＯＢＵのサーチ情報（ＶＯＢＵ＿ＳＲＩ）を利用して実現される。即ち、ファーストフォワード（ＦＦ）再生を一例に説明すると、通常、１ＶＯＢＵは、約０．５秒で再生されることから、１０倍速では、約０．５秒間に１０ＶＯＢＵが再生されなければならないこととなる。換言すれば、１秒当たり２０ＶＯＢＵのデータを獲得できれば実現可能となる。即ち、０．５秒ごとに１０ＶＯＢＵ先のビデオが再生されれば、１０倍速が実現される。
【００７０】
同様に、あるＶＯＢＵから２０ＶＯＢＵ先のデータを再生するまでの所用時間を０．５秒で実現すれば、見掛け上２０倍速が実現されることとなる。この原理を利用して常に０．５秒経過後には、２０ＶＯＢＵ先のデータ再生すれば、見掛け上２０倍速が実現される。１ＶＯＢＵを再生する時間を短縮出来れば、即ち、０．２５秒で１ＶＯＢＵが再生され、次々に１０ＶＯＢＵ先のデータを再生するば、見掛け上２０倍速が実現することが出来ることとなる。
【００７１】
具体的には、このファーストフォワード（ＦＦ）再生及びファーストリワード（ＦＲ）等の特殊再生の処理について図１９のフローチャートを参照して説明する。
【００７２】
ステップＳ７０に示すように再生中にＦＦ或いはＦＲキーが押されると、ＦＦ或いはＦＲ処理が開始される。始めにステップＳ７１に示すようにファーストフォワードＦＦ或いはリビューＲＥＶの入力が有ったかが確認され、各デコーダ部に高速サーチの処理を開始する旨を指示する。
【００７３】
その後、ステップＳ７２に示すようにファーストフォワードＦＦであれば、システムＭＰＵ５０は、現在再生中のＶＯＢＵのＤＳＩから最新のＶＯＢＵのサーチ情報（ＶＯＢＵ＿ＳＲＩ）を獲得し、ＦＷＤＩ１０のアドレスを獲得する。ステップＳ７３に示すように獲得したアドレスに基づいてＦＷＤＩ１０のアドレスで特定されるＶＯＢＵをサーチする。ステップＳ７４に示すようにそのＶＯＢＵのI ピクチャーの最終データが格納されているＶパックの取り込みが終了したかが確認される。ステップＳ７５に示すようにの最終データが格納されているＶパックの取り込みが終了している場合には、割り込み、例えば、通常再生の入力、特殊再生されたＶＯＢＵが最終のものであってこれ以上の特殊再生ができない旨のコマンドがあるか否かが確認される。キー割り込みがあれば、その高速サーチが終了かがステップ７６で確認され、終了であれば、ステップＳ７７に示すように終了される。ステップＳ７５に示すキー割り込みがない場合、また、ステップＳ７６において、キー割り込みがあっても高速サーチが終了でない場合には、ステップＳ７２戻され、I ピクチャー再生のために新たに読み込んだＶＯＢＵのＶＯＢＵ＿ＳＲＩが得られ、ステップＳ７３に戻される。
【００７４】
ファーストリワード（ＦＲ）では、ステップＳ７９が異なるのみで実出的にファーストフォワードＦＦと同様に処理されてファーストリワード（ＦＲ）が実行される。
【００７５】
この明細書において、サーチ中とは、光ピックが定常の再生状態より離れ、目的のアドレスを見つけ、ジャンプし、トラッキングした状態へ移行し、再生すべきデータがドライブ部３０より出力されるまでの間を言う。（以下の説明においても同様である。）
以上のようにしてI ピクチャーを用いて特殊再生が実行されるが、ＤＶＤディスク上に連続するＶＯＢＵが音楽専用であって各ＶＯＢＵには、主映像パックが無く、オーディオパックのみのデータ、または、オーディオパックと副映像パックだけで構成される場合がある。また、ＤＶＤディスク自体が音楽専用であってその再生対象である連続するＶＯＢＵの全てには、主映像パックが無く、オーディオパックのみのデータ、または、オーディオパックと副映像パックだけで構成される場合がある。このような音楽専用の連続するＶＯＢＵの再生処理、或いは、再生手順は、既に述べたビデオを含む連続するＶＯＢＵと同様に再生されるが、特殊再生に関しては、上述したようにI ピクチャーを用いた特殊再生の実行ができなくなる。このような音楽専用のＶＯＢＵが連続する場合の特殊再生について図２０から図２６を参照して説明する。
【００７６】
既に説明したように即ち、ファーストフォワード（ＦＦ）再生及びファーストリワード（ＦＲ）等の特殊再生にあっては、音声を消して、ビデオデータのみを取りだして、Ｉピクチャのみ、または、Ｉ，Ｐのみ再生する方法を採用している。これに対して、音楽専用のＶＯＢＵが連続する場合の特殊再生、即ち、ファーストフォワード（ＦＦ）再生及びファーストリワード（ＦＲ）の再生にあっては、オーディオがその特殊再生の間、次のようにとぎれ（無音の状態）が生じることなく再生される。ここで、音楽専用のＶＯＢＵが連続する場合には、静止画を背景にオーディオが再生される場合のようにオーディオパックに比してビデオパックが非常に少ないデータがＤＶＤディスクの一部の領域に記録されている場合も含まれるものとする。
【００７７】
オーディオデータが圧縮されている場合、例えば、オーディオデータがＭＰＥＧ或いはＡＣ−３に基づいて圧縮されている場合であって、ファーストフォワード（ＦＦ）再生或いはファーストリワード（ＦＲ）によるサーチが短い場合（例えば、２倍から数倍速程度の高速再生の場合）には、図２０（ａ）に示すようにオーディオデータ、即ち、ＶＯＢＵ１８５は、ドライブ部３０からオーディオデコーダ部６０に転送され、その再生中にすぐに次に再生されるべきアドレスがサーチされ、図２０（ｂ）に示すようにそのサーチされたオーディオデータ、即ち、ＶＯＢＵ１８５が転送され、再生される。このような例は、図２０（ａ）に示されるようにある曲のある第１番目のＶＯＢＵ１８５の再生及び転送中のある時点ｔ０にサーチの入力があると、その第１番目のＶＯＢＵ１８５内のパケットに格納されたオーディオ圧縮データ１、例えば、ＡＣ−３のオーディオ圧縮データ１の転送が続けられ、その転送の終了した時点ｔ１からオーディオ圧縮データ２がパケットに格納されている第２番目のＶＯＢＵ１８５がサーチされる。このサーチ前にオーディオ圧縮データ１の伸張及びその再生がなされているが、このサーチの後においても、そのオーディオ圧縮データ１の伸張及びその再生が続けられ、スピーカー８から第１番目のＶＯＢＵ１８５のパケットに格納されたデータが再生され続ける。例えば、“ドレミ”と再生される。その曲のオーディオ圧縮データ２がパケットに格納された次のＶＯＢＵ１８５がサーチされると、その第２番にサーチされたオーディオ圧縮データ２の伸張が開始され、第２番のＶＯＢＵ１８５の再生が開始される。例えば、次の“ドレミ”が再生される。同様にオーディオ圧縮データ２の転送の終了した時点ｔ３から更に次の第３番のＶＯＢＵ１８５、即ち、オーディオ圧縮データ２がサーチされ、同様にそのサーチが終了した時点で、第３番のサーチに相当するオーディオ圧縮データ３の伸張が開始され、第３番のＶＯＢＵ１８５の再生が開始される。その結果、例えば、更に次の“ドレミ”が再生される。従って、再生側では、最初の“ドレミ”、次の“ドレミ”、更に次の“ドレミ”が再生され、図２０（ｂ）に示すように再生が連続することとなる。
【００７８】
このようにサーチ時間が十分に短い場合には、図２０（ａ）及び（ｂ）に示すように、サーチ期間にオーディオのとぎれが生ぜず、常にオーディオが再生されることとなる。
【００７９】
オーディオデータが圧縮されている場合であって、ファーストフォワード（ＦＦ）再生或いはファーストリワード（ＦＲ）によるサーチが長い場合（例えば、ほぼ１０倍速或いはそれ以上の高速再生の場合）には、図２１（ａ）に示すようにオーディオデータは、ドライブ部３０からオーディオデコーダ部６０に転送され、その再生中に次に再生されるべきアドレスがサーチされる。即ち、サーチがそのオーディオデータの再生時間を超えた場合には、そのサーチの残存期間の間、そのオーディオデータの最終音、１ＶＯＢＵ１８５が再生され続け、サーチが終了した後に図２０（ｂ）に示すようにそのサーチされた次のオーディオデータが再生される。このような例は、図２１（ａ）に示されるようにある曲の再生及び転送中のある時点ｔ０にサーチの入力があると、その再生中に続く１ＶＯＢＵ１８５のパックに格納されたオーディオ圧縮データ１、例えば、ＡＣ−３のオーディオ圧縮データ１の転送が続けられ、その転送の終了した時点ｔ１から次の、例えば、１０ＶＯＢＵ先のＶＯＢＵ１８５に相当するオーディオ圧縮データ２がサーチされる。このサーチ終了前にオーディオ圧縮データ１の伸張及びその再生が終了されたにも拘わらず、未だサーチが継続中である場合、そのオーディオ圧縮データ１の最終音である１ＶＯＢＵ１８５の再生が続けられ、スピーカー８から曲の再生が継続される。例えば、“ドレミ”が再生され、その最終音である“ミ”が再生され続ける。時点ｔ２で１０ＶＯＢＵ先のＶＯＢＵ１８５に相当するオーディオ圧縮データ２がサーチされると、第１ＶＯＢＵ、即ち、最終音の再生に代えて、１０ＶＯＢＵ先のＶＯＢＵ１８５に相当するオーディオ圧縮データ２の伸張が開始され、１０ＶＯＢＵ先のＶＯＢＵ１８５の再生が開始される。例えば、次の“ドレミ”が再生され、最終音である“ミ”が再生され続ける。同様にオーディオ圧縮データ２の転送の終了した時点ｔ３から次の（１０＋１０）ＶＯＢＵ先のＶＯＢＵ１８５に相当するオーディオ圧縮データ３がサーチされ、同様にそのサーチが終了するまで、オーディオ圧縮データ２の最終音の再生が続けられ、スピーカー８から曲の再生が継続される。例えば、更に次の“ドレミ”が再生され、最終音である“ミ”が再生され続ける。
【００８０】
このようにサーチ時間が長い場合にあっては、図２１（ａ）及び（ｂ）に示すように、次のオーディオデータの転送が間に合わずデータがとぎれてしまうような場合が生ずるが、このようなときには、前のオーディオデータの最終音が次のオーディオデータが転送されるまで、再生され続けられる。図２１の例にあっては、例えば、最初の“ドレミ”及び最終音である“ミ”が再生され続け、次の“ドレミ”及び最終音である“ミ”が再生され続け、更に次の“ドレミ”及び最終音である“ミ”が再生され続けられることとなる。
【００８１】
更に、オーディオパックが圧縮データでない場合、例えば、ＰＣＭオーディオデータの場合には、転送時間と再生時間に殆ど差がないことから、図２２（ａ）及び（ｂ）に示したと同様に次のオーディオデータのサーチ中には、前のオーディオデータの最終音が次のオーディオデータが転送されるまで、再生され続けられる。例えば、図２２（ａ）に示されるようにある曲の再生及び転送中のある時点ｔ０にサーチの入力があると、そのオーディオデータに相当する１ＶＯＢＵ１８５の転送が続けられ、その転送の終了した時点ｔ１から次に相当するオーディオ圧縮データ２、１０ＶＯＢＵ先のＶＯＢＵ１８５がサーチされる。このサーチ終了前にオーディオデータ１の再生が終了されるが、その再生終了後のサーチの継続中においても、そのオーディオデータ１の最終音、１ＶＯＢＵ１８５の再生が続けられ、スピーカー８から１ＶＯＢＵ１８５のデータの再生が継続される。例えば、“ドレミ”と再生され、最終音に相当する“ミ”の再生が継続される。また、時点ｔ２で次のオーディオデータ２、１０ＶＯＢＵ先のＶＯＢＵ１８５がサーチされると、１ＶＯＢＵの最終音の再生に代えて、次のオーディオデータ２の転送及び再生が開始され、１０ＶＯＢＵ先のＶＯＢＵ１８５の再生が開始される。例えば、次の“ドレミ”と再生され、最終音に相当する“ミ”の再生が継続される。同様に、オーディオデータ２の転送の終了した時点ｔ３から更に次のオーディオデータ３がサーチされ、同様にそのサーチが終了するまで、オーディオデータ２の最終音、１ＶＯＢＵの再生が続けられ、スピーカー８からその１０ＶＯＢＵ先に相当するＶＯＢＵ１８５がの再生が継続される。例えば、更に次の“ドレミ”と再生され、最終音に相当する“ミ”の再生が継続される。
【００８２】
以下により具体的な動作を早送り再生の例を図１及び図１に示したオーディオデコーダの詳細を示す図２３を参照して図２４、図２５及び図２６に示したフローチャートに従って説明する。
【００８３】
図１に示したオーディオデコーダ部６０は、図２３に示すようなブロックを有している。即ち、オーディオデコーダ部には、システムプロセッサ部５４から取り込まれたオーディオパケットデータを保持するデータメモリ部８０を有し、このメモリ部８０は、メモリ制御部８１によって制御される。既に述べたように、オーディオデータとして圧縮されたＡＣ−３データやＭＰＥＧオーディオデータ、または、無圧縮のＰＣＭデータなどが想定されている。メモリ部８０に格納されたオーディオパケットデータをデコードするデコーダ８２は、デコード開始時にメモリ制御部８１にデータリクエスト信号( ＲＥＱ信号) を発生する。メモリ制御部８１は、データリクエスト信号に応答してメモリ部８０からデータを取り出し、デコーダ８２へデータを転送する。デコーダ８２は、そのデコーダ８２内部のＳＴＣ（システムタイムクロック）の値に従って、オーディオパケットデータをデコードすることとなる。
【００８４】
デコーダ８２でデコードされたオーディオデータは、出力用セレクタ８３及びデータ保持部８４に出力される。通常、出力セレクタ部８３は、メモリ制御部８１からのセレクト信号に応答してデコーダ８２からのデータを出力している。また、データ保持部８４は、例えば、ＦＩＦＯメモリのようなメモリで構成され、セレクタから出力されるオーディオデータ列を次々に取り込み、その最新のオーディオデータ列を保持し続けている。データ保持部８４は、この保持されたオーディオデータ列をＥＭＰ信号（エムプティー信号）に応答してセレクタ８３が切り替わることによって出力し続けることとなる。ファーストフォワード再生或いはファーストリワード再生などの特殊再生時には、１ＶＯＢＵごとにサーチされることとなるが、このＶＯＢＵのサーチ中にオーディオデコーダー８２へのオーディオパケットデータが途切れる場合がある。この場合には、デコードすべきデータが無くなる。即ち、メモリ制御部８１へデコード８２からデータリクエスト信号( ＲＥＱ信号) が入るが、メモリに転送すべき、換言すれば、デコードすべきデータがないため、転送がおこなわれないこととなる。このとき、メモリ制御部は、ＥＭＰ信号を発生してセレクタ８３を次のデータが入力されるまで、データ保持部８４に対してアクティブにし続けられている。
【００８５】
ＥＭＰ信号がアクティブになると、データ保持部８４は、データがデコードされなくなる以前のデータの内の一音前のサンプルデータ列を出力しているので、そのデータ列が保持されている。出力セレクタ部８３は、ＥＭＰ信号をセレクト信号として、アクティブの場合には、保持部８４に保持されたオーディオデータ列を出力することとなる。そのため、次のオーディオデータがデコードされるまで、保持されたオーディオデータ列がＤ／Ａ部６３に送り続けられる。
【００８６】
ここで、最新のオーディオパケットデータがデータメモリに入力され、このオーディオパケットデータがデコーダ８２においてデコード処理され、そのデータがデコーダ部より出力される際にＥＭＰ信号がディゼーブルとなる。即ち、メモリ制御部８１からＥＭＰ信号に代えてセレクト信号がセレクタ８３に供給される。
【００８７】
上述したようにオーディオデコーダ部６０が構成されている場合には、データ保持部８４には、保持すべきデータ列が出力セレクタ部の出力側から取り出され、保持されることとなる。従って、このデータ保持部８４は、データがとぎれる際の最終の音に相当する一音前のデータ列を出力することとなる。その結果、図２０（ａ）及び（ｂ）、図２１（ａ）及び（ｂ）、並びに図２２（ａ）及び（ｂ）に示した無音の状態を排除した再生状態を実現することが可能となる。
【００８８】
次に、図２４、図２５及び図２６は、オーディオの特殊再生、特にファーストフォワード再生動作のフローチャートを示している。
【００８９】
ファーストフォワード再生動作の開始前に通常再生処理が実行されるが、この際に各デコーダ５８，６２，８４の初期設定がされる。例えば、オーディオパックの圧縮方式（ＡＣ−３，ＭＰＥＧオーディオ、ＰＣＭ：無圧縮）等が初期設定される。その後、図２４のステップＳ８０に示すようにキー操作表示部４からのキー操作（ＦＦキー）によってオーディオの高速サーチ、即ち、オーディオのファーストフォワード再生が開始されると、ステップＳ８２に示すように各デコーダ５８、６２、８４に高速サーチの処理が開始される旨が指示され、再生時間を示すカウンタがモニター６に表示されることが禁止される。次に、ステップＳ８３に示すようにオーディオの再生が終了したかが確認される。再生が終了する場合には、例えば、ドライブ部３０からの割り込みがあって再生が終了した場合、或いは、ＭＰＵ部５０から割り込み処理があって再生が終了される場合には、ステップＳ８５に示すように高速サーチ処理が終了される。再生が終了していない場合には、ステップＳ８４に示すように現在再生中のオーディオデータ中の次に転送されるべきＶＯＢＵ１８５のナビゲーションパック１８６が転送されたかが確認される。転送されていなければ、ステップＳ８３に戻され、ナビゲーションパック１８６の転送を待つこととなる。ナビゲーションパック１８６の転送が終了すると、ステップＳ８５に示すようにそのナビゲーションパック１８６中のＤＳ＿ＧＩに記述のＮＶパックの論理ブロック値（ＮＶ＿ＰＣＫ＿ＬＢＮ）がＭＰＵ部５０に転送され、そのナビゲーションパック１８６中のＤＳＩからＶＯＢＵサーチ情報（ＶＯＢＵ_ ＳＲＩ) がシステム用ＲＯＭ-RAM部５２に格納される。また、ナビゲーションパック１８６中ＮＶパックシステムクロックリファレンス（ＮＶ＿ＰＣＫ＿ＳＣＲ）がオーディオデコーダ部６０に設けられたシステムタイムクロック（ＳＴＣ）にセットされる。これらの設定により、高速サーチ後においても、即座に通常再生に復帰でき、また、ＶＯＢＵサーチ情報（ＶＯＢＵ_ ＳＲＩ) からフォワードアドレスＦＦＤ＃ｎを獲得することができる。フォワードアドレスＦＦＤ＃ｎは、キー操作表示部４からの指示、例えば、２倍速、４倍速、或いは、１０倍速を指示する入力に従って、ｎ個先のフォワードアドレスＦＦＤ＃ｎを指定することができる。この図２４に示される例では、１０個先のフォワードアドレスＦＦＤ＃１０が常に指定されるものとする。
【００９０】
次にステップＳ８６においてサーチされるべき目的アドレス（ＮＯＷＬＢＮ) とステップＳ８４で転送が確認されたＮＶパックのアドレスが比較される。高速サーチの開始時には、フォワードアドレスとしてフォワードアドレス＃０が指定され、その後、次々にフォワードアドレスとしてフォワードアドレス＃１０が指定される。従って、転送開始時には、ステップＳ８６においてサーチされるべき目的アドレス（ＮＯＷＬＢＮ) とステップＳ８４で転送が確認されたＮＶパック１８６のアドレスが一致されることから次のステップＳ８７が実行される。これに対して、次の目的アドレス（ＮＯＷＬＢＮ) としてフォワードアドレス＃１０が指定されている場合には、両者がステップＳ８７で比較され、一致しない場合には、ステップＳ８８において、目的とするＮＶパック１８６を含むＶＯＢＵ１８５のアドレスがサーチされる。即ち、ＭＰＵ部５０から目的とするＶＯＢＵ１８５のアドレス（ＮＯＷＬＢＮ）でドライブ部３０にリードコマンドが与えられ、ピックアップによってＤＶＤディスク１０がサーチされる。目的とするＶＯＢＵ１８５がサーチされると、ステップＳ８７で高速再生中であることを確認されて再びステップＳ８４において、目的とするＮＶパック１８６の転送を待つこととなる。
【００９１】
ステップＳ８４で目的アドレス（ＮＯＷＬＢＮ) と転送されたＮＶパック１８６のアドレスが一致されると、ステップＳ８８において、そのＮＶパック１８６のＰＣＩ＿ＧＩに含まれるセル経過時間（Ｃ＿ＥＬＴＭ）が参照され、そのＮＶパック１８６が属するセルの再生時間がモニター６に表示される。この表示は、ファーストフォワード再生時には、次々にその表示が変えられることから、ユーザは、ファーストフォワード再生であることを確認できる。
【００９２】
目的とするＮＶパック１８６の転送に続いて次々にオーディオパック１９１がデコーダ部６０に転送され、そのパックアドレスがＭＰＵ部５０に転送される。ＭＰＵ部５０においては、ステップＳ９０において、このパックアドレスがＮＶパック１８６のＤＳ＿ＧＩに記述されるＶＯＢＵ１８５の終了アドレス（ＶＯＢＵ＿ＥＡ）と比較される。両者が一致しない場合には、ステップＳ８９に戻される。即ち、両者が一致してＶＯＢＵ１８５内のパックが全て転送されるまで再生動作が続けられ、デコーダ８２では、転送されたＶＯＢＵ１８５のオーディオデータがデコードされ、デコードされたオーディオデータがセレクタ８３から出力されることとなる。また、そのオーディオデータがデータ保持部８４に保持されることとなる。
【００９３】
次に、ステップＳ９１において、次にサーチされるべきフォワード１０のＶＯＢＵ１８５があるかが確認される。即ち、図１５に示されるＶＯＢＵサーチ情報（ＶＯＢＵ_ ＳＲＩ) のフォワードアドレスＦＦＤ１０のビット番号［ｂ２９：ｂ０］が（３ＦＦＦＦＦＦＦＦ）でないかが確認される。このビット番号［ｂ２９：ｂ０］が（３ＦＦＦＦＦＦＦＦ）であれば、サーチされるＶＯＢＵ１８５がないことを意味し、後に説明されるステップＳ９５からＳ１１４が実行される。サーチされるべきフォワード１０のＶＯＢＵ１８５がある場合には、そのアドレス［ｂ２９：ｂ０］がステップＳ８６における目的アドレスに設定される。その後、ステップＳ９３において、高速サーチが終了かが確認され、終了でない場合には、再びステップＳ８７に戻される。終了である場合には、ステップＳ９４で示すように通常再生に復帰される。
【００９４】
ステップＳ９１において目的のＶＯＢＵ１８５がない場合には、ステップ９５に示すようにフォワードアドレスＦＦＤ１０よりも１つ小さいフォワードアドレスＦＦＤ９があるかが確認される。即ち、フォワードアドレスＦＦＤ９のビット番号［ｂ２９：ｂ０］が（３ＦＦＦＦＦＦＦＦ）でないかが確認される。フォワードアドレスＦＦＤ９がある場合には、ステップ１０４に示すようにそのアドレスが目標アドレスに設定されてステップＳ８７に戻される。ステップＳ９１からステップＳ１０２において目的のＶＯＢＵ１８５がない場合には、同様にフォワードアドレスＦＦＤ＃ｋよりも１つ小さいフォワードアドレスＦＦＤ（ｋ−１）があるかが確認される。また、フォワードアドレスＦＦＤ＃ｋがある場合には、ステップ１０５からステップＳ１１３に示すようにそのアドレスが目標アドレスに設定されてステップＳ８７に戻される。
【００９５】
ステップＳ１０２において、目的のＶＯＢＵ１８５がない場合には、ステップ１０３において、その最終アドレスのＶＯＢＵ１８５がＰＧＣ１８７の最終セル１８４に属するかが確認される。目的のＶＯＢＵ１８５がＰＧＣ１８７の最終セル１８４に属さない場合には、ステップＳ１１４において図６に示すビデオタイトルセットプログラムチェーン情報テーブル２００（ＶＴＳ＿ＰＧＣＩＴ）に含まれるセルの再生順序を規定したセル再生テーブルが参照され、次のセル１８４の最初のＶＯＢＵ１８５のアドレスが目的アドレスに設定され、ステップＳ８７に戻される。
【００９６】
ステップ１０３において、その最終アドレスのＶＯＢＵ１８５がＰＧＣ１８７の最終セル１８４に属する場合には、図２６に示すステップＳ１１５において現在のＰＧＣ（ＮＯＷＰＧＣ）の次のＰＧＣ１８７（ＮＯＷＰＧＣ＋１）が目的とするＰＧＣ１８７（ＮＯＷＰＧＣ）に設定される。ステップＳ１１６においてこの目的とするＰＧＣ１８７（ＮＯＷＰＧＣ）があるかが確認され、ある場合には、ステップＳ１１７において、ステップＳ１１４と同様にその内の先頭のセル１８４のセルアドレスが目標ＶＯＢＵのアドレスに設定され、ステップＳ８７に戻される。ステップＳ１１６においてこの目的とするＰＧＣ（ＮＯＷＰＧＣ）がない場合には、ステップＳ８１に示すように再生が終了される。
【００９７】
図２４から図２６に示すフローにおいて、ＰＧＣ１８７は、例えば、オーディオにおける各曲に対応し、セル１８４の集合であるプログラムが各曲の曲番号に相当する。
【００９８】
【発明の効果】
以上説明したようにこの発明によれば、ビデオフォーマットに従ったオーディオディスクのファーストフォワード或いはリワード（ＦＦ／ＦＲ）で高速サーチにおいても、音声を再生することができ、単なる表示で確認するだけでなく音声でも高速サーチ中であることが確認できる。また、ユーザに取っては、高速サーチ時にサーチ中の音が再生されることから、比較的容易にサーチ対象、例えば、曲の頭出等を確認でき、極めてユーザインタフェースの優れた装置を実現することができる。
【図面の簡単な説明】
【図１】この発明の一実施例に係る光ディスク装置の概略を示すブロック図である。
【図２】図１に示す光ディスクの論理フォーマットの構造を示す。
【図３】図２に示されるビデオマネージャーの構造を示す。
【図４】図２に示されビデオオブジェクトセット（ＶＯＢＳ）の構造を示す例である。
【図５】ファイルに格納されるプログラムチェーンの構造を説明するための図。
【図６】図２に示したビデオタイトルセットの構造を示す。
【図７】図４に示したナビゲーションパックの構造を示す。
【図８】図４に示したビデオ、オーディオ、副映像パックの構造を示す。
【図９】図７に示されるナビゲーションパックの再生制御情報（ＰＣＩ）のパラメータ及び内容を示す。
【図１０】図９に示される再生制御情報（ＰＣＩ）中の一般情報（ＰＣＩ＿ＧＩ）のパラメータ及び内容を示す。
【図１１】図７に示されるナビゲーションパックのディスクサーチ情報（ＤＳＩ）のパラメータ及び内容を示す。
【図１２】図１１に示されるディスクサーチ情報（ＤＳＩ）のＤＳＩ一般情報（ＤＳＩ＿ＧＩ）のパラメータ及び内容を示す。
【図１３】図１１に示されるビデオオブジェクト（ＶＯＢ）の同期再生情報（ＳＹＮＣＩ）のパラメータ及びその内容を示す。
【図１４】図１１に示されるＶＯＢＵサーチ情報の記述内容を示している。
【図１５】図１４に示されるＦＷＤ情報の記述内容を示している。
【図１６】図１４に示されるＢＷＤ情報の記述内容を示している。
【図１７】装置の動作開始からビデオタイトルセットの取得までの動作フローを示す。
【図１８】ビデオタイトルセットを取得してＰＧＣを再生する手順を示すフローチャートを示す。
【図１９】図１３に示すＶＯＢＵサーチ情報を利用したＩピクチャーの特殊再生動作を示すフローチャートである。
【図２０】この発明の一実施例に係る音声の圧縮データを短いサーチ時に特殊再生する再生方法を示す説明図である。
【図２１】この発明の一実施例に係る音声の圧縮データを長いサーチ時に特殊再生する再生方法を示す説明図である。
【図２２】この発明の一実施例に係る音声の非圧縮データを特殊再生する再生方法を示す説明図である。
【図２３】図１に示すオーディオデコーダ部のブロックを示している。
【図２４】この発明の一実施例に係るオーディオデータの特殊再生の動作を示すフローチャートを示している。
【図２５】この発明の一実施例に係るオーディオデータの特殊再生の動作を示すフローチャートを示している。
【図２６】この発明の一実施例に係るオーディオデータの特殊再生の動作を示すフローチャートを示している。
【符号の説明】
６  …  モニタ部
８  …  スピーカ部
１０  …  光ディスク
３０  …  ディスクドライブ部
５０  …  システムＭＰＵ
５４  …  システムプロセッサ部
５６  …  データＲＡＭ部
５８  …  ビデオデコーダ部
６０  …  オーディオデコード部
６２  …  副映像デコーダ部
６３  …  Ｄ／Ａ及び再生処理回路
８２  …  オーディオデコーダ
８０  …  データメモリ部
８１  …  メモリ制御部
８３  …  セレクタ
８４  …  データ保持部
１７０  …  ボリューム及びファイル構造領域
１７１  …  ビデオマネージャー（ＶＭＧ）
１７２  …  ビデオタイトルセット（ＶＴＳ）
１７３  …  他の記録領域
１７４  …  ファイル
１７５  …  ビデオマネージャー情報（ＶＭＧＩ）
１７６  …  ビデオマネージャーメニューの為のビデオオブジェクトセット（ＶＭＧＭ＿ＶＯＢＳ）
１７７  …  ビデオマネージャー情報のバックアップ（ＶＭＧＩ＿ＢＵＰ）
１７８  …  ビデオ管理情報管理テーブル（ＶＭＧＩ＿ＭＡＴ）
１７９  …  タイトルサーチポインターテーブル（ＴＴ＿ＳＲＰＴ）
１８１  …  ビデオタイトルセット属性テーブル（ＶＴＳ＿ＡＴＲＴ）
１８２  …  ビデオオブジェクトセット（ＶＯＢＳ）
１８３  …  ビデオオブジェクト（ＶＯＢ）
１８４  …  セル
１８５  …  ビデオオブジェクトユニット（ＶＯＢＵ）
１８６  …  ナビゲーションパック（ＮＶパック）
１８８  …  ビデオパック（Ｖパック）
１９０  …  副映像パック（ＳＰパック）
１９１  …  オーディオパック（Ａパック）
１９６  …  ビデオタイトルセットのタイトルの為のビデオオブジェクトセット（ＶＴＳＴＴ＿ＶＯＢＳ）
１９７  …  ビデオタイトルセット情報（ＶＴＳＩ）のバックアップ
１９８  …  ビデオタイトルセット情報管理テーブル（ＶＴＳＩ＿ＭＡＴ）
１９９  …  ビデオタイトルセットパートオブタイトルサーチポインタテーブル（ＶＴＳ＿ＰＴＴ＿ＳＲＰＴ）
２００  …  ビデオタイトルセットプログラムチェーン情報テーブル（ＶＴＳ＿ＰＧＣＩＴ）
２１１  …  ビデオタイトルセットタイムサーチマップテーブル（ＶＴＳ＿ＭＡＰＴ）
２１２  …  ビデオタイトルセットセルアドレステーブル（ＶＴＳ＿Ｃ＿ＡＤＴ）
２１３  …  ＶＴＳ＿ＰＧＣＩＴサーチポインタ（ＶＴＳ＿ＰＧＣＩＴ＿ＳＲＰ）
１１６  …  ＰＣＩパケット
１１７  …  ＤＳＩパケット
１１０  …  モジュレータ／トランスミッター
【図１】
0003782222.tif 000002
【図２】
0003782222.tif 000003
【図３】
0003782222.tif 000004
【図４】
0003782222.tif 000005
【図５】
0003782222.tif 000006
【図６】
0003782222.tif 000007
【図７】
0003782222.tif 000008
【図８】
0003782222.tif 000009
【図９】
0003782222.tif 000010
【図１０】
0003782222.tif 000011
【図１１】
0003782222.tif 000012
【図１２】
0003782222.tif 000013
【図１３】
0003782222.tif 000014
【図１４】
0003782222.tif 000015
【図１５】
0003782222.tif 000016
【図１６】
0003782222.tif 000017
【図１７】
0003782222.tif 000018
【図１８】
0003782222.tif 000019
【図１９】
0003782222.tif 000020
【図２０】
0003782222.tif 000021
【図２１】
0003782222.tif 000022
【図２２】
0003782222.tif 000023
【図２３】
0003782222.tif 000024
【図２４】
0003782222.tif 000025
【図２５】
0003782222.tif 000026
【図２６】
0003782222.tif 000027